(57)【要約】【課題】デジタル放送番組などの放送番組記録システムにおいて、デジタル放送を視聴する視聴者の嗜好が変化したとしても、常に視聴者の最新の嗜好に合った必要なシーンのみを記録する。【解決手段】放送局側が記録対象判定プログラムを予め作成し、放送局側の送信装置から、放送する番組毎に、番組本体情報にコンテンツ付加情報である記録対象判定プログラムとシーン情報を多重化して放送する。一方、放送番組記録装置では、記録対象判定プログラムを実行して、視聴者の嗜好情報を得て、記録対象判定条件を求める。そして予め記憶している記録対象判定条件を更新する。その後、受信した番組情報からシーン情報を分離抽出し、抽出したシーン情報を記録対象判定条件に照らして記録するシーンと記録しないシーンに分類する。そして、記録するシーンとして分類されたシーンの番組本体情報だけを記録手段で記録する。【選択図】図５
2009088828.tif 000002
【特許請求の範囲】
【請求項１】
放送局側送信装置と放送番組記録装置からなる放送番組記録システムにおいて、
前記放送局側送信装置は、複数のシーンで構成される番組を送信する送信部を有し、
前記放送番組記録装置は、前記番組を受信する放送受信部と、
記録対象判定条件を記憶する条件記憶部と、
前記記録対象判定条件に合致したシーンを前記番組から抽出するシーン抽出部と、
前記シーン抽出部が抽出したシーンを記録するシーン記録部と、
を備えたことを特徴とする放送番組記録システム。
【請求項２】
複数のシーンで構成された番組を受信する放送受信部と、
記録対象判定条件を記憶する条件記憶部と、
前記記録対象判定条件に合致したシーンを前記番組から抽出するシーン抽出部と、
前記シーン抽出部が抽出したシーンを記録するシーン記録部と、
を備える放送番組記録装置。
【請求項３】
前記記録対象判定条件は、記録対象判定プログラムであって、
前記シーン抽出部は前記記録対象判定プログラムの実行結果を元にシーンを抽出することを特徴とする請求項２記載の放送番組記録装置。
【請求項４】
前記記録対象判定条件は、記録対象判定プログラムの実行結果であることを特徴とする請求項２記載の放送番組記録装置。
【請求項５】
前記記録対象判定条件は前記番組に重畳されて放送され、
前記放送受信部は前記記録対象判定条件を受信し、受信した前記記録対象判定条件を前記条件記憶部に記憶することを特徴とする請求項２記載の放送番組記録装置。
【請求項６】
前記番組は複数のシーンが重畳して構成され、
前記シーン抽出部は前記記録対象判定条件に合致したシーンを前記番組から抽出することを特徴とする請求項２記載の放送番組記録装置。
【請求項７】
複数のシーンで構成された番組を受信する受信ステップと、
記録対象判定条件を記憶する記憶ステップと、
前記記録対象判定条件に合致したシーンを番組から抽出する抽出ステップと、
前記シーン抽出部が抽出したシーンを記録する記録ステップと、
のステップからなる放送番組記録方法。
【発明の詳細な説明】
【技術分野】
【０００１】
本発明は地上波、衛星波などのテレビ放送番組またはインターネットを介して配信される番組（コンテンツ）を記録する放送番組記録システムと、デジタル放送システムで配信されたコンテンツを記録する放送番組記録装置に関し、特に、視聴者個人の嗜好情報を元に番組内の特定のシーンを選択して記録することができる放送番組記録システムと放送番組記録装置と放送番組記録方法に関する。
【背景技術】
【０００２】
いわゆるワンセグ放送対応のテレビ放送受信機能付き携帯電話機のように、デジタル放送のコンテンツを視聴できる携帯端末装置が実用化されている。そして、これらデジタル放送のコンテンツを視聴できる携帯端末装置では、デジタル放送を単純に受信して視聴するだけでなく、デジタル放送を記録再生する機能を付加することも提案されている。
【０００３】
しかし、デジタル放送のコンテンツを視聴できる携帯端末装置に記録再生機能を付加するとき、メモリ容量が少ない携帯端末装置では記録時間が制約される。そのため、コンテンツを保存する際にデータ量を抑える工夫が求められる。
【０００４】
従来のデジタル放送の放送番組記録システムでは、受信した画像データと音声データについて、圧縮する事なく記録するデータ量を抑える一つの方法として、視聴者の嗜好情報を予め登録しておき、視聴者の嗜好情報から、視聴者にとって有用な番組、あるいは番組内の特定のシーンのみを切り出して保存する方法が提案されている。これは、放送局側の送信装置では、放送するコンテンツに関してシーン毎にシーン情報を作成して、通常放送に多重送信する。一方、視聴者側の携帯端末装置に組み込まれた放送番組記録装置では、視聴者の嗜好情報を予め登録しておき、受信した番組の各シーンについて、シーン情報と視聴者の嗜好情報を比較して記録の要否を判定して、視聴者の嗜好に合ったシーンのみを保存している（例えば、特許文献１参照）。
【特許文献１】特開２００４−３２８３４０号公報
【発明の開示】
【発明が解決しようとする課題】
【０００５】
しかし、視聴者は日々生活している者であるため、生活環境の変化と各種の刺激により、個人の嗜好は少しずつ変化したり、急変したりする。また、特定傾向の情報を長期間、繰り返して視聴していると感覚が鈍化したり、マンネリ化したりして、特定傾向の情報にあきてしまうこともある。
【０００６】
デジタル放送の視聴者にとって、自己の嗜好変化は気づきにくい。そのため、予め視聴者の嗜好情報を登録して嗜好情報に合ったシーンだけを記録するようにセットしたとしても、セットした直後は良いが、記録したシーンと自己の嗜好が少しずつずれてゆく。嗜好が変わった場合は、嗜好情報を更新する必要があるが、更新するまでの間は自己の嗜好とずれたシーンを記録して再生し続けることになる。結局、自己の嗜好にピッタリ合ったシーンだけを記録再生できるのは、嗜好情報を更新した直後の嗜好が安定している一定期間だけということもありうる。もし、日々変化する自己の嗜好にきめ細かく対応して嗜好情報が更新され、常に自己の嗜好に合ったシーンだけを記録再生することができれば便利である。
【０００７】
また、シーン情報を作成して多重送信するデジタルコンテンツ制作者側としても、コンテンツごとに詳細で多様なシーン情報を提供して視聴者に選択の余地を与えることができれば便利である。例えば、サスペンス番組やホラー番組内に過激なシーンを含めて製作してしまった場合には、「この番組には過激なシーンが含まれています。ご希望の方はシーン情報を選択して記録し、過激なシーンを削除した形で視聴してください。」などというコンテンツ提供サービスがあってもよい。
【０００８】
本発明は、視聴者の嗜好が変化したとしても、常に視聴者の最新の嗜好に合った必要なシーンのみを記録再生することを第一の課題としている。また、番組制作者側の基準でシーン情報を作成して送信し、視聴者に自己の最新の嗜好に合ったシーンを選択させて、選択したシーンのみを記録し再生させるようにすることを第二の課題としている。そして、不要なシーンを記録せず、限られた容量の記録領域を効率的に利用することを第三の課題としている。
【課題を解決するための手段】
【０００９】
本発明では、放送局側がデジタルコンテンツ制作者としての基準で記録対象判定プログラムを予め作成しておく。そして、放送局側の送信装置から、放送する番組毎に、番組情報として、番組本体情報とコンテンツ付加情報である記録対象判定プログラムとシーン情報を多重化して放送する。
【００１０】
一方、放送番組記録装置では、まず記録対象判定プログラムを受信し、記録対象判定プログラムを実行する。記録対象判定プログラムを実行して、視聴者の嗜好情報を得ると、記録対象判定条件を求める。そして予め記憶している記録対象判定条件を更新する。その後、受信した番組情報からシーン情報を分離抽出し、抽出したシーン情報を記録対象判定条件に照らして記録するシーンと記録しないシーンに分類する。そして、記録するシーンとして分類されたシーンの番組本体情報だけを記録手段で記録する。その後、記録した特定シーンの番組本体情報は任意に再生して視聴される。
【発明の効果】
【００１１】
本発明では、番組本体情報とともに放送されるコンテンツ付加情報である記録対象判定プログラムを実行することで、放送番組記録装置の視聴者の嗜好が変化したとしても、記憶手段の記録対象判定条件は、最新の視聴者の嗜好を反映した条件に更新される。そのため、番組本体情報の中から視聴者の最新の嗜好を満たすシーンだけを記録することができる。
【００１２】
また本発明では、記録対象判定プログラムとシーン情報を別々の基準で作るのではなく、デジタルコンテンツ制作者としての基準で、記録対象判定プログラムとシーン情報の両者を作成して、番組本体情報にとともに多重化して送信している。そして、デジタルコンテンツ制作者としての基準に基づいてシーンを選択させ記録させている。
【００１３】
このデジタルコンテンツ制作者としての基準で記録対象判定プログラムとシーン情報の両者を作成することは、記録対象判定プログラムを実行することによって得られる記録対象判定条件とシーン情報との整合性を取った形で作ることができるので、記録対象判定条件によく合致したシーンを選択することができる。そして、記録対象判定を視聴者の嗜好情報に合致した形で適切に行なうことができる。
【００１４】
また、不要なシーンを記録せず限られた容量の記録領域を効率的に利用できる。
【発明を実施するための最良の形態】
【００１５】
（実施の形態１）
以下、本発明の実施の形態１について、図面とともに説明する。図１に、本発明の実施の形態１に係る放送局側送信装置１００の概略ブロック図を示す。放送局側送信装置１００には、番組本体情報記憶手段１０１と、記録対象判定プログラム記憶手段１０２と、コンテンツ付加情報記憶手段１０３を有している。番組本体情報記憶手段１０１には、番組そのものの画像情報と音声情報をシーンごとに分けて、放送する番組毎に番組ＩＤとともに記憶している。記録対象判定プログラム記憶手段１０２には、番組を構成しているシーンの中から記録するシーンを選択するための記録対象判定プログラムを番組毎に番組ＩＤとともに記憶している。また、コンテンツ付加情報記憶手段１０３には、番組を構成しているシーンの属性を示すシーン情報を番組毎に番組ＩＤとともに記憶している。なお、このシーン情報は、番組本体情報記憶手段１０１にシーンごとに分けて記憶されている番組本体情報と対応する形で作られている。そして、放送局側送信装置１００は、コンテンツ多重化手段１０４と送信手段１０５と送信アンテナ１０６を持っている。
【００１６】
放送局側送信装置１００において、一つの番組を放送する際には、番組本体情報記憶手段１０１から該当する番組の番組本体情報を読み出し、コンテンツ多重化手段１０４に送出する。また同時に、記録対象判定プログラム記憶手段１０２からその番組に対応する記録対象判定プログラムを読み出す。そして、コンテンツ付加情報記憶手段１０３からその番組に対応するシーン情報を読み出す。読み出した記録対象判定プログラムとシーン情報を一組のコンテンツ付加情報としてコンテンツ多重化手段１０４に送出する。コンテンツ多重化手段１０４では、番組本体情報にコンテンツ付加情報を多重化する。そして、多重化した番組本体情報とコンテンツ付加情報を送信手段１０５によって、送信アンテナ１０６から送信して番組を放送している。
【００１７】
図２に、本発明の実施の形態１に係る放送番組記録装置２００の概略ブロック図を示す。放送番組記録装置２００は、受信アンテナ２０１、受信手段２０２、記憶手段２０３、記録対象判定プログラム実行手段２０５、記録対象判定条件更新手段２０６を有している。受信手段２０２は、受信アンテナ２０１を用いて、図１で示した放送局側送信装置１００が送信した番組本体情報とコンテンツ付加情報を受信する。受信手段２０２は、コンテンツ付加情報の中の記録対象判定プログラムを記憶手段２０３に送り記憶させる。記録対象判定プログラム実行手段２０５は、記憶手段２０３に記憶した記録対象判定プログラム２０４を実行する。記録対象判定プログラムを実行すると、図示しない記録対象判定プログラム実行手段２０５の表示装置と音声出力装置で、視聴者に質問内容を提示する。そして、図示しない記録対象判定プログラム実行手段２０５の入力装置に視聴者の嗜好情報が入力されると、記録対象判定プログラムは、記録するシーンを判定するための画像対象判定条件を求める。そして、記録対象判定条件更新手段２０６は、記憶手段２０３に予め記憶してある画像対象判定条件２０７の内容を、最新の画像対象判定条件に更新する。
【００１８】
放送番組記録装置２００は、更に、番組情報蓄積手段２０８と、シーン情報分離抽出手段２０９と、シーン分類手段２１０と、記録手段２１１と、再生手段２１３とを持っている。番組情報蓄積手段２０８には、受信した画像本体情報とコンテンツ付加情報のシーン情報が蓄積される。シーン情報分離抽出手段２０９はシーン情報を抽出する。シーン分類手段２１０は、シーン情報を更新された画像対象判定条件２０７に照らして、「記録するシーン情報」と、「記録しないシーン情報」に分類する。記録手段２１１は、「記録するシーン情報」と分類されたシーン情報に対応する画像本体情報だけを記憶手段２０３にシーン別記録番組２１２として記憶する。そして、再生手段２１３は、記憶手段２０３に記憶したシーン別記録番組２１２を再生する。
【００１９】
なお、上記放送番組記録装置２００では、記録手段２１１と再生手段２１３の両方を備えた構成を示したが、再生手段２１３については他の再生手段を接続して使用することにして、再生手段２１３を持たない放送番組記録装置として構成してもよい。放送番組記録装置内に記録されたシーン別記録番組２１２の放送番組情報があれば、別体の放送番組再生装置を接続して、シーン別記録番組２１２の放送番組情報を視聴することができるからである。
【００２０】
図３に、本発明の実施の形態１に係る放送局側送信装置１００から送信されたシーン情報の構成を模式的に示す。図３では、英語教育番組のシーン情報を示している。図３に示す英語教育番組では、最初にオープニングのシーンを放送したあと、難易度の低いシーンから高いシーンまで、初級、中級、上級の順に第一のサイクルで放送し、コマーシャルを挟んで、再び初級、中級、上級の順に第二のサイクルを放送し、最後にエンディングのシーンを放送する。
【００２１】
図３で、矢印３０１は時間軸である。時系列的に最初のシーンとして、「オープニング」３０２が、二番目のシーンとして初級コーナー１）を示す「初級１）」３０３が、三番目のシーンとして中級コーナーを示す「中級１）」３０４が、四番目のシーンとして上級コーナー１）を示す「上級１）」３０５が順次放送されることを示している。そして五番目のシーンとしてコマーシャルを示す「ＣＭ」３０６が続き、六番目のシーンとして同様に「初級２）」３０７が、七番目のシーンとして「中級２）」３０８が、八番目のシーンとして「上級２）」３０９が順次放送される。そして最後のシーンとして「エンディング」３１０が続いて放送される。
【００２２】
図４に、本発明の実施の形態１に係る放送局側送信装置１００から送信される記録対象判定プログラムの構成を模式的に示す。記録対象判定プログラム４０１は、番組ＩＤ４０２と、視聴者に対する質問を出力し回答の入力を求める視聴者レベル判定プログラム名４０３と、判定結果に応じて記録する対応シーン４０４から構成されている。
【００２３】
放送番組記録装置２００で視聴者レベル判定プログラム４０３が実行されると、記録判定プログラム実行手段２０５が動作して、放送番組記録装置２００の視聴者に対して質問が出力される。実施の形態１の視聴者レベル判定プログラム４０３は、ＴＯＥＩＣテスト形式で出題し、採点してレベル分けする内容にしている。視聴者が記録判定プログラム実行手段２０５に回答を入力すると、記録判定プログラム実行手段２０５は、視聴者の正答率を計算して英語力のレベルを判定する。たとえば、ＴＯＥＩＣの点数が４００点台であれば初級レベルと判定し、６００点台であれば中級レベルと判定し、８００点台であれば上級レベルと判定する。
【００２４】
この判定された英語力レベルが記録するシーンを選択する画像対象判定条件となる。初級レベルと判定されたときは、初級１）と初級２）のシーンの画像を記録する。同様に、中級レベルと判定されたときは、中級１）と中級２）の二つのシーンの画像を記録する。上級レベルと判定されたときは、上級１）と上級２）の二つのシーンの画像を記録する。
【００２５】
英語力のレベルは日々少しずつ変動する。本発明の実施の形態１では、番組を受信する都度、視聴者レベル判定プログラム４０３を実行して視聴者の英語力のレベルを判定して、レベルに応じたシーンを選択するので、視聴者の英語力のレベルにマッチしたシーンだけを記録することができることになる。
【００２６】
図５に、放送番組記録装置２００の動作をフローチャートとして示す。放送番組記録装置２００に電源を入れると、初期設定動作を開始する（ステップＳ５０１）。そして、放送番組記録装置２００は、放送受信の開始と記録の開始ができる受信記録待受け状態で視聴者の操作を待つ（ステップＳ５０２）。視聴者によって受信開始の操作がされると（ステップＳ５０３のＹＥＳ）、受信手段２０２がアンテナ２０１を介して記録対象判定プログラムを受信し、記憶手段２０３に記憶する（ステップＳ５０４）。そして、記録対象判定プログラムが記録対象判定プログラム実行手段２０５により動作する。記録対象判定プログラム実行手段２０５は、記録対象判定プログラムを動作することによって出力手段により質問を音声や画像で提示し、タッチパネルや選択釦による入力手段から視聴者の回答を嗜好情報として得る（ステップＳ５０５）。そして、記録対象判定条件更新手段２０６により、記憶手段２０３に記憶してある記録対象判定条件２０７を更新する（ステップＳ５０６）。そして、番組本体情報にコンテンツ付加情報を多重化した番組情報を受信して、番組情報蓄積手段２０８に蓄積する（ステップＳ５０７）。次いで、シーン情報分離抽出手段２０９により、番組本体情報に多重化されているコンテンツ付加情報の中から、シーン情報を抽出する（ステップＳ５０８）。抽出したシーン情報については、記録対象判定条件に照らして、「記録するシーン情報」と「記録しないシーン情報」に分類する（ステップＳ５０９）。そして記録手段２１１が、「記録するシーン情報」と分類されたシーン情報に対応する番組本体情報のみを記憶手段２０３にシーン別記録番組２１２として記録する（ステップＳ５１０）。その後、視聴者により、再生操作がされると（ステップＳ５１１のＹＥＳ）、記憶手段２０３に記録したシーン別記録番組２１２を再生手段２１３が再生する。
【００２７】
放送局側送信装置１００と放送番組記録装置２００は本発明の放送番組記録システムとして機能する。
【００２８】
このことにより、放送局側送信装置１００から送信された番組本体情報の内、記録再生装置の視聴者の嗜好にあったシーンだけを記録して再生することができる。
【００２９】
図６に記憶手段２０３に記憶されたシーン別記録番組２１２のデータ構成の一例を示す。シーン別記録番組のデータ構成６０１は、番組内容を示す指標である番組ＩＤ６０２と、記録対象判定プログラムを実行したことにより選択された記録対象シーンＩＤ６０３を示す。番組ＩＤ６０２には、「０００１」「０００２」のように受信した番組のＩＤ番号を記憶している。そして、「０００１」という番組ＩＤについて選択された記録対象シーンＩＤ「中級１）、中級２）」が記憶されている。「ＮＵＬＬ」と表示されている番組ＩＤと記録対象シーンＩＤは、まだ何も記憶されていないことを示している。
【００３０】
なお、図６のシーン別記録番組２１２のデータ構成については、上段から下段に向けて優先的に記録する番組のリスト、いわゆる優先記録シーンのリストとして用いることができる。
【００３１】
また、英語教育番組等は連日放送されるため、番組を受信する都度、記録対象判定プログラムを実行するのを負担に感じるときは、記録対象判定プログラムの実行をキャンセルして、既に図６のように記憶してある記録対象判定条件をそのまま適用することもできる。
【００３２】
すなわち、新たに受信を開始する番組の番組ＩＤを取得し、その番組ＩＤが図６のシーン別記録番組のデータ構成６０１にあれば、その番組ＩＤに対応するシーンを記録する。例えば、番組ＩＤが「０００１」であれば、「中級１）、中級２）」のシーンを記録し、その他のシーン「初級１）」、「初級２）」、「上級１）」、「上級２）」のシーンの記録はスキップする。結果として、視聴者の英語力レベルに適した中級者向けのシーンを集めた「中級１）、中級２）」という構成の番組が記録される。そして、英語学習が進んで英語力が向上したと思ったら、英語教育番組を受信する都度、記録対象判定プログラムを実行するようにすれば自己の英語力、すなわち自己の嗜好にあった番組のシーンを記録できることになる。記録対象判定プログラムを実行して、上級レベルと判定された場合は、図６の番組ＩＤ「０００１」に対しする「中級１）、中級２）」のシーンＩＤが「上級１）、上級２）」に更新され、「上級１）、上級２）」という構成の番組が記録されることになる。
【００３３】
以上により、本発明によれば、視聴者にとつて有用なシーンのみを記録するので記憶容量が節約できる。また、視聴者の学習効果に応じた、視聴者が本来学習すべきレベルのシーンのみの視聴に集中できるため学習効果が上がるといった効果が得られる。
【００３４】
なお、図６では、番組ＩＤ「０００１」に対して「中級１）、中級２）」のシーンＩＤだけを記憶しているが、学習レベルに関係の無い「オープニング」や「エンディング」のシーンを記録対象に加えるようにしてもよい。
【００３５】
また、本発明では、記録内容を確認するには、シーン別記録番組の記録領域のデータ構成６０１を再生手段２１３の図示しない表示部に表示するようにしている。
【００３６】
以上説明したとおり、本発明の実施の形態１では、放送局側送信装置１００と放送番組記録装置２００が一つの放送番組記録システムを構成し、この放送番組記録システムによって送信された番組について、放送番組記録装置２００で記録対象判定プログラムを実行し、視聴者の英語力レベルという嗜好情報を元に記録するシーンだけを選択して記録することができる。
【００３７】
なお、上記の説明では、記録対象判定プログラムを番組本体情報に多重化して送信する例を説明したが、放送局側送信機より事前に、あるいはデータとして放送時に付与するなどして送信してもよい。または、記録対象判定プログラムをインターネットのサーバ装置などに記憶しておき、ユーザーがインターネット網から事前にダウンロードするか、または、テレビ番組のデータ放送の情報が記録対象判定プログラムのＵＲＬ情報を含み、データ放送の情報からリンクされた記録対象判定プログラムをダウンロードすることで、記録対象判定プログラムを記憶しても良い。また、記録対象判定プログラムはサーバ装置にあって、その結果のみ記録再生装置に記憶しても良い。また英語力レベルという学力を嗜好情報の一例として説明したが、直接的に好き嫌いを問う記録対象判定プログラムを用いてもよい。
【００３８】
（実施の形態２）
次に、本発明の実施の形態２について説明する。実施の形態１では、放送局側の送信装置から放送する番組を、シーケンシャルな番組構成として説明したが、実施の形態２では異なるシーンが平行して放送されるマルチ放送・マルチアングル放送のときに本発明を適用した場合について説明する。
【００３９】
図７に、実施の形態２に係る放送局側の送信装置からマルチ放送するシーン情報の構成例を模式的に示す。図７において、時間軸を示す矢印７０１の順に放送局側の送信装置からシーン情報は送信される。送信される第一番目に「オープニング」７０２があるのは実施の形態１と同じであるが、第二番目に「初級１）」７０３と「中級１）」７０４と「上級１）」７０５の三つのシーンが同時に平行して送られてくることが、シーン情報を三つ重ねた形で示されている。第三番目には「ＣＭ」７０６が、第四番目には「初級２）」７０７と「中級２）」７０８と「上級２）」７０９の三つのシーンが同時に平行して送信される。そして、五番目には「エンディング」７１０のシーンが送信される。
【００４０】
上記のようにシーン情報を構成したマルチ放送の場合に本発明を適用すると、まず記録対象判定プログラムを実行して記録対象判定条件を得る。例えば、視聴者の英語力レベルが初級と判定されれば、記録対象判定条件に合致した記録すべきシーンとして「初級１）」と「初級２）」が選択される。このことにより、番組情報を受信した段階で、例えば「オープニング」７０２、「初級１）」７０３、「ＣＭ」７０６、「初級２）」７０７、「エンディング」７１０という順番で、視聴者の英語力のレベル、つまり視聴者の嗜好にあったシーンをリアルタイムで視聴して記録することができる。
【００４１】
なお、実施の形態２では、図８のように放送番組記録装置を構成している。図８に示す実施の形態２の放送番組記録装置８００は、記録するシーンだけをモニター手段８１４でモニター提示する点に特徴がある。
【００４２】
すなわち、放送番組記録装置８００では、新たにモニター手段８１４をシーン分類手段２１０に接続している。モニター手段８１４には、シーン分類手段２１０で分類した記録すべきシーン情報と対応する番組本体情報を出力している。このことにより、視聴者の英語力のレベル、つまり視聴者の嗜好にあったシーンだけがモニター手段８１４によりリアルタイムで視聴される。放送番組記録装置８００のその他の各部の構成は既に図２で示した放送番組記録装置２００の構成と同じなので、同じ部分については同じ符号を付して説明を省略する。
【００４３】
繰り返しになるが、放送番組記録装置８００は、複数のシーンが平行して送信されるマルチ放送について、記録するシーン、言い換えると自分の嗜好にあったシーンだけをモニター手段８１４で視聴することができる。
【００４４】
なお、図８の放送番組記録装置８００では、モニター手段８１４で視聴すると同時に記録手段２１１で視聴しているシーンを記録する構成を示しているが、記録手段を止めて、自分の嗜好にあったシーンだけをモニター手段８１４で視聴するようにしてもよい。このようにすれば、記録以外の場合でも自分の嗜好にあったシーンだけを視聴する放送番組記録装置８００として使うことができる。
【００４５】
（実施の形態３）
本発明の実施の形態３として、シリーズものの推理番組において、前回放送した事件発生編の続きとして、推理編・解決編のシーン構成で放送される場合を説明する。図９は、放送されるシーン情報の構成を示す。図９では、シーン情報を時間軸９０１に沿って、第一番目を「推理編」のシーン９０２、第二番目を「解決編」のシーン９０３という順番に構成している。他方、放送局側からは、前回の放送内容に関するアンケートコンテンツを送信し、視聴者側でアンケートコンテンツを実行する。アンケート回答の結果、視聴者の推理が結論に達していないと判断された場合は、視聴者に再度推理させるため、「推理編」を優先再生させるチャプター信号を付与して記録する。視聴者の推理が正しいと判断された場合は、「解決編」から再生されるチャプター信号を付与して記録する。
【００４６】
このことにより、記録した番組を視聴する際、視聴者の推理結果に応じたコンテンツを優先して再生する事ができる。
【産業上の利用可能性】
【００４７】
本発明の放送局側送信装置と視聴者側の放送番組記録装置の両者からなる放送番組記録システムは、いわゆるワンセグ放送のようなデジタル放送はもとより、インターネットを使ったデジタル放送などにも適用することができる。
【図面の簡単な説明】
【００４８】
【図１】本発明の実施の形態１に係る放送局側送信装置の概略ブロック図
【図２】本発明の実施の形態１に係る放送番組記録装置の概略ブロック図
【図３】本発明の実施の形態１に係る放送局側送信装置から送信されるシーン情報の構成を示した図
【図４】本発明の実施の形態１に係る放送番組記録装置で読み込まれる記録対象判定プログラムの構成を示す図
【図５】本発明の実施の形態１に係る放送番組記録装置の動作を示すフローチャート
【図６】本発明の実施の形態１に係る放送番組記録装置のシーン別記録番組の構成を示した図
【図７】本発明の実施の形態２に係る放送局側送信装置から送信されるシーン情報の構成を示した図
【図８】本発明の実施の形態２に係る放送番組記録装置の概略ブロック図
【図９】本発明の実施の形態３に係る放送局側送信装置から送信されるシーン情報の構成を示した図
【符号の説明】
【００４９】
１０１    番組本体情報記憶手段
１０２    記録対象判定プログラム記憶手段
１０３    コンテンツ付加情報記憶手段
１０４    コンテンツ多重化手段
１０５    送信手段
１０６    送信アンテナ
２０１    受信アンテナ
２０２    受信手段
２０３    記憶手段 
２０５    記録対象判定プログラム実行手段
２０６    記録対象判定条件更新手段
２０８    番組情報蓄積手段
２０９    シーン情報分離抽出手段
２１０    シーン分離手段
２１１    記録手段
２１３    再生手段
【図１】
2009088828.tif 000003
【図２】
2009088828.tif 000004
【図３】
2009088828.tif 000005
【図４】
2009088828.tif 000006
【図５】
2009088828.tif 000007
【図６】
2009088828.tif 000008
【図７】
2009088828.tif 000009
【図８】
2009088828.tif 000010
【図９】
2009088828.tif 000011